(57)【特許請求の範囲】
【請求項１】
２以上の対象者の生体情報を測定し、測定値データを得る工程と、
上記測定値データから上記生体情報の特徴量を検出し、特徴量データを得る工程と、
上記特徴量データを記録媒体に記録する工程と、
上記記録媒体から上記特徴量データを再生する工程と、
その再生された特徴量データから駆動信号を生成する工程と、
上記駆動信号によって再生デバイスを駆動する工程と、
を備え、
上記対象者は、コンテンツの記録者を含む第１のグループと、上記第１のグループに所属する者を含まない第２のグループと、から構成され、
上記第２のグループは、上記コンテンツにおける被記録者を含み、
上記再生デバイスを駆動する工程において、上記コンテンツの記録者の生体情報に基づき生成された駆動信号、及び上記コンテンツにおける被記録者の生体情報に基づき生成された駆動信号によって、上記再生デバイスを駆動することを特徴とする記録再生方法。
【請求項２】
請求項１の記録再生方法において、
上記測定工程、上記検出工程および上記記録工程は、コンテンツの記録時または再生時に実行し、
上記再生工程、上記生成工程および上記駆動工程は、上記コンテンツの再生時に実行する、
ことを特徴とする記録再生方法。
【請求項３】
請求項１の記録再生方法において、
上記検出工程では、上記特徴量として、上記生体情報の測定値の隣接するピーク間の時間間隔を検出し、
上記生成工程では、上記駆動信号として、上記時間間隔のパルス信号を生成する、
ことを特徴とする記録再生方法。
【請求項４】
請求項１の記録再生方法において、
上記検出工程では、上記特徴量として、上記生体情報の測定値が基準値より大きくなる第１の期間の時間長と、上記基準値以下となる第２の期間の時間長とを交互に検出して、上記特徴量データとして、それぞれの時間長を示し、かつ上記第１の期間か上記第２の期間かを示すデータを順次生成し、
上記生成工程では、上記駆動信号として、上記第１の期間に対応する期間と上記第２の期間に対応する期間とでレベルの異なる二値信号を生成する、
ことを特徴とする記録再生方法。
【請求項５】
２以上の対象者の生体情報を測定し、測定値データを得る手段と、
上記測定値データから上記生体情報の特徴量を検出し、特徴量データを得る手段と、
上記特徴量データを記録媒体に記録し、当該記録媒体から再生する手段と、
その再生された特徴量データから駆動信号を生成する手段と、
上記駆動信号によって駆動される再生デバイスと、
を備え、
上記対象者は、コンテンツの記録者を含む第１のグループと、上記第１のグループに所属する者を含まない第２のグループと、から構成され、
上記第２のグループは、上記コンテンツにおける被記録者を含み、
上記再生デバイスは、上記コンテンツの記録者の生体情報に基づき生成された駆動信号、及び上記コンテンツにおける被記録者の生体情報に基づき生成された駆動信号によって駆動されることを特徴とする記録再生装置。
【請求項６】
請求項５の記録再生装置において、
上記測定手段として、第１の対象者の生体情報を測定し、第１の測定値データを得る第１の測定手段と、第２の対象者の生体情報を測定し、第２の測定値データを得る第２の測定手段とを備えることを特徴とする記録再生装置。
【請求項７】
請求項６の記録再生装置において、
上記第１の測定手段は、記録再生装置本体に設けられ、上記第２の測定手段は、無線によって上記記録再生装置本体と接続されることを特徴とする記録再生装置。
【請求項８】
請求項６の記録再生装置において、
上記再生デバイスとして、複数の再生デバイスを備えることを特徴とする記録再生装置。
【請求項９】
請求項５の記録再生装置において、
静止画または動画を撮影する撮像部を備えることを特徴とする記録再生装置。
【請求項１０】
請求項９の記録再生装置において、
上記記録再生手段は、上記撮像部から得られた画像データと上記特徴量データとを多重化して上記記録媒体に記録することを特徴とする記録再生装置。
【請求項１１】
請求項５の記録再生装置において、
上記検出手段は、上記特徴量として、上記生体情報の測定値の隣接するピーク間の時間間隔を検出し、
上記生成手段は、上記駆動信号として、上記時間間隔のパルス信号を生成する、
ことを特徴とする記録再生装置。
【請求項１２】
請求項５の記録再生装置において、
上記検出手段は、上記特徴量として、上記生体情報の測定値が基準値より大きくなる第１の期間の時間長と、上記基準値以下となる第２の期間の時間長とを交互に検出して、上記特徴量データとして、それぞれの時間長を示し、かつ上記第１の期間か上記第２の期間かを示すデータを順次生成し、
上記生成手段は、上記駆動信号として、上記第１の期間に対応する期間と上記第２の期間に対応する期間とでレベルの異なる二値信号を生成する、
ことを特徴とする記録再生装置。
【請求項１３】
２以上の対象者の生体情報が測定されて得られた測定値データから上記生体情報の特徴量が検出されて得られた特徴量データが記録されている記録媒体から、上記特徴量データを再生する工程と、
その再生された特徴量データから駆動信号を生成する工程と、
上記駆動信号によって再生デバイスを駆動する工程と、
を備え、
上記対象者は、コンテンツの記録者を含む第１のグループと、上記第１のグループに所属する者を含まない第２のグループと、から構成され、
上記第２のグループは、上記コンテンツにおける被記録者を含み、
上記再生デバイスを駆動する工程において、上記コンテンツの記録者の生体情報に基づき生成された駆動信号、及び上記コンテンツにおける被記録者の生体情報に基づき生成された駆動信号によって、上記再生デバイスを駆動することを特徴とする再生方法。
【請求項１４】
２以上の対象者の生体情報が測定されて得られた測定値データから上記生体情報の特徴量が検出されて得られた特徴量データが記録されている記録媒体から、上記特徴量データを再生する手段と、
その再生された特徴量データから駆動信号を生成する手段と、
上記駆動信号によって駆動される再生デバイスと、
を備え、
上記対象者は、コンテンツの記録者を含む第１のグループと、上記第１のグループに所属する者を含まない第２のグループと、から構成され、
上記第２のグループは、上記コンテンツにおける被記録者を含み、
上記再生デバイスは、上記コンテンツの記録者の生体情報に基づき生成された駆動信号、及び上記コンテンツにおける被記録者の生体情報に基づき生成された駆動信号によって駆動されることを特徴とする再生装置。
【発明の詳細な説明】
【技術分野】
【０００１】
この発明は、人の脈拍（脈）や呼吸などの生体情報を記録再生または再生する方法および装置に関する。
【背景技術】
【０００２】
人の脈拍や呼吸などの生体情報を、医学的または医療的な目的ではなく、人の感情などの状態を示すものとして、画像や音楽などのコンテンツに準じる情報として、利用することが考えられている。
【０００３】
例えば、特許文献１（特開２００４−２１９９１４号公報）には、コンサート会場やライブ会場などの雰囲気を再現するために、音楽や映像の情報に演奏者や出演者の生体情報を多重して情報を伝送し、受信側で生体情報によって視聴者に感覚的な刺激を与えることが示されている。
【０００４】
また、特許文献２（特開２００７−２８０４８５号公報）には、コンテンツ再生時のユーザの生体情報を、ユーザの感情の変化を示すものとして測定して記録媒体に記録し、その記録媒体から再生した生体情報に応じて再生態様を変化させて、コンテンツを再生することが示されている。
【０００５】
上に挙げた先行技術文献は、以下の通りである。
【特許文献１】特開２００４−２１９９１４号公報
【特許文献２】特開２００７−２８０４８５号公報
【発明の開示】
【発明が解決しようとする課題】
【０００６】
人の生体情報の測定信号（測定値データ）は、例えば、生体情報が脈拍の場合、図２の測定信号Ｓ１（測定値データＤ１）で示すように、波形（測定値）が連続的に変化するものとなる。
【０００７】
しかし、このような測定信号を、そのまま駆動信号として、例えば、振動モータを駆動し、ユーザに振動を与えても、測定信号の波形の変化に追従させて振動の振幅を変化させることは難しく、ユーザは、対象者（ユーザ自身である場合もある）の生体情報、すなわち脈拍を、コンテンツとして感知することは難しい。
【０００８】
しかも、そもそも、脈拍の場合、対象者の感情などの状態の変化にかかわらず、測定信号のピーク値（極大値または極小値）は、ほとんど変化せず、対象者が興奮しているときには、脈拍が高く（脈拍数が多く）なって、測定信号の隣接するピーク間の時間間隔が長くなり、対象者が冷静なときには、脈拍が低く（脈拍数が少なく）なって、測定信号の隣接するピーク間の時間間隔が短くなる、というように、対象者の感情などの状態の変化は、脈拍数の変化、すなわち測定信号の隣接するピーク間の時間間隔の変化として現れる。
【０００９】
そのため、上記のように生体情報の測定信号を、そのまま駆動信号とする方法では、ユーザは、脈拍数の変化、すなわち対象者の感情などの状態の変化を、コンテンツとして感知することができない。
【００１０】
測定信号を駆動信号としてＬＥＤ（発光ダイオード）を点灯させる場合などでも、同じであり、生体情報が呼吸などの場合でも、同様である。
【００１１】
さらに、生体情報を記録媒体に記録する場合、測定信号（測定値データ）をそのまま記録すると、記録されるデータ量が不必要に多くなる。
【００１２】
そこで、この発明は、対象者の生体情報を、対象者の感情などの状態を示すものとして簡単かつ的確に表現し、コンテンツとして感知できるように記録再生することができるとともに、少ないデータ量で記録することができるようにしたものである。
【課題を解決するための手段】
【００１３】
この発明の記録再生方法は、
対象者の生体情報を測定し、測定値データを得る工程と、
上記測定値データから上記生体情報の特徴量を検出し、特徴量データを得る工程と、
上記特徴量データを記録媒体に記録する工程と、
上記記録媒体から上記特徴量データを再生する工程と、
その再生された特徴量データから駆動信号を生成する工程と、
上記駆動信号によって再生デバイスを駆動する工程と、
を備えることを特徴とする。
【００１４】
上記の記録再生方法では、生体情報の測定値データ（測定信号）そのものではなく、例えば、測定対象の生体情報が脈拍である場合、生体情報の特徴量として、測定値の隣接するピーク間の時間間隔が検出されて、特徴量データとして記録媒体に記録され、再生時には、再生された特徴量データから、駆動信号として上記の時間間隔のパルス信号が生成されて、振動モータやＬＥＤなどの再生デバイスが駆動される。
【００１５】
したがって、ユーザは、対象者の生体情報を、対象者の感情などの状態を示すコンテンツとして感知することができる。しかも、特徴量データは測定値データよりデータ量が少なくなるので、生体情報を少ないデータ量で記録することができる。
【発明の効果】
【００１６】
以上のように、この発明によれば、対象者の生体情報を、対象者の感情などの状態を示すものとして簡単かつ的確に表現し、コンテンツとして感知できるように記録再生することができるとともに、少ないデータ量で記録することができる。
【発明を実施するための最良の形態】
【００１７】
［１．第１の実施形態（生体情報の記録再生）：図１〜図３］
（１−１．装置構成：図１）
図１は、第１の実施形態の記録再生装置の一例を示す図である。
【００１８】
この例の記録再生装置１０は、生体センサ１１、Ａ／Ｄコンバータ１２、特徴量検出部１３、記録再生部１４、記録媒体１５、駆動信号生成部１６、振動モータ１７、赤色ＬＥＤ１８、青色ＬＥＤ１９、制御部２１および操作部２２を備えるものとして構成される。
【００１９】
生体センサ１１は、対象者（被測定者）１の脈拍や呼吸などの生体情報を測定する脈拍センサや呼吸センサなどである。
【００２０】
Ａ／Ｄコンバータ１２は、生体センサ１１の出力の測定信号Ｓ１をＡ／Ｄ変換して、測定値データＤ１を出力するものである。
【００２１】
特徴量検出部１３は、その測定値データＤ１から、対象者１の生体情報の後述するような特徴量を検出（抽出）して、
特徴量データＤ２を出力するものである。
【００２２】
記録媒体１５は、記録再生装置１０に内蔵されたハードディスクや半導体メモリなどの内部記録媒体、または記録再生装置１０に装着される光ディスクや半導体メモリなどのリムーバブル記録媒体である。
【００２３】
記録再生部１４は、記録時には、特徴量検出部１３の出力の特徴量データＤ２を記録媒体１５に記録し、再生時には、記録媒体１５から、これに記録されている特徴量データＤ２を再生するもので、記録媒体１５に応じたハードウェアおよびソフトウェア（プログラム）によって構成される。
【００２４】
駆動信号生成部１６は、再生時、記録再生部１４から送出された特徴量データＤ２から、後述のように特徴量に応じた駆動信号を生成するものである。
【００２５】
振動モータ１７、赤色ＬＥＤ１８および青色ＬＥＤ１９は、それぞれ再生デバイス（出力デバイス）の一例である。
【００２６】
すなわち、この例は、再生デバイスとして、振動モータ１７、赤色ＬＥＤ１８および青色ＬＥＤ１９が用いられ、振動モータ１７は駆動信号Ｓ２によって、赤色ＬＥＤ１８は駆動信号Ｓ３によって、青色ＬＥＤ１９は駆動信号Ｓ４によって、それぞれ駆動される場合である。
【００２７】
ただし、後述のように、測定対象の生体情報が脈拍であるか呼吸であるかなどによって、振動モータ１７、赤色ＬＥＤ１８および青色ＬＥＤ１９のうちのいずれか１つまたは２つのみを用い、または別の再生デバイスを用いることができる。
【００２８】
記録再生装置１０を携帯電話端末内に構成する場合には、振動モータ１７としては、一般に携帯電話端末にマナーモード用などとして設けられる振動モータを利用することができる。
【００２９】
制御部２１は、記録再生装置１０の各部を制御するもので、図では省略したが、ＣＰＵ、ＣＰＵが実行する各種プログラムおよび必要な固定データが書き込まれたＲＯＭ、およびプログラムやデータが展開されるＲＡＭなどによって構成される。
【００３０】
操作部２２は、ユーザが制御部２１に対して生体情報の測定記録や再生などを指示するものである。
【００３１】
ユーザとは、当該の記録再生装置１０を使用する者である。対象者１は、ユーザ自身でもよく、ユーザとは別の者でもよい。
【００３２】
（１−２．生体情報が脈拍の場合：図２）
測定対象の生体情報が脈拍の場合には、図１の生体センサ１１は脈拍センサとされる。
【００３３】
脈拍を簡単に測定する方法としては、対象者の皮膚に赤外線を当てて、血中の赤血球からの反射光の強弱（光量）を測定し、または耳たぶなどの皮膚の薄いところであれば透過光の強弱（光量）を測定する方法を用いることができる。
【００３４】
この場合、図２に示すように、測定信号Ｓ１としては、ピーク値（極大値または極小値）および振幅は、ほとんど変化せず、隣接するピーク間の時間間隔が、対象者１の感情などの状態に応じて変化する。測定値データＤ１も、測定信号Ｓ１をＡ／Ｄ変換しただけであるので、同じである。
【００３５】
そのため、この場合、特徴量検出部１３では、生体情報（脈拍）の特徴量として、測定値データＤ１（測定信号Ｓ１）の隣接するピーク間の時間間隔を検出する。
【００３６】
具体的に、図２に示すように、最初に、ピーク点Ｐ１と次のピーク点Ｐ２との時間間隔Ｔ１を検出して、特徴量データＤ２として時間間隔Ｔ１を示すデータを生成し、次に、ピーク点Ｐ２と次のピーク点Ｐ３との時間間隔Ｔ２を検出して、特徴量データＤ２として時間間隔Ｔ２を示すデータを生成し、というように、隣接するピーク間の時間間隔を順次検出し、隣接するピーク間の時間間隔を示すデータを順次生成する。
【００３７】
この場合の特徴量データＤ２は、測定値データＤ１よりデータ量が著しく少ないことは勿論、測定値データＤ１を画像信号や音声信号などの圧縮で用いられている圧縮方式で圧縮した後のデータと比較してもデータ量が少ない。
【００３８】
そして、記録時には、この特徴量データＤ２を記録媒体１５に記録する。
【００３９】
再生時には、駆動信号生成部１６では、記録媒体１５から再生された同じ特徴量データＤ２から、図２に示すように、駆動信号Ｓ２として、測定記録時の各ピーク点Ｐ１，Ｐ２，Ｐ３，Ｐ４‥‥のタイミングに対応する各タイミングで、一定パルス幅のパルス信号を生成する。
【００４０】
そして、測定対象の生体情報が脈拍の場合には、再生時、例えば、図１に示したように、この駆動信号Ｓ２によって振動モータ１７を駆動する。
【００４１】
したがって、記録再生装置１０が、上記の時間間隔Ｔ１，Ｔ２，Ｔ３，Ｔ４‥‥で断続的に振動し、ユーザは、測定記録時の対象者１の脈拍の様子、すなわち脈を打ったタイミングや間隔（脈拍数）を感知することができる。
【００４２】
駆動信号Ｓ２によって、赤色ＬＥＤ１８または青色ＬＥＤ１９を駆動してもよい。この場合、赤色ＬＥＤ１８または青色ＬＥＤ１９が、上記の時間間隔Ｔ１，Ｔ２，Ｔ３，Ｔ４‥‥で点滅し、ユーザは、同様に、測定記録時の対象者１の脈拍の様子を感知することができる。
【００４３】
駆動信号Ｓ２によって、振動モータ１７、赤色ＬＥＤ１８および青色ＬＥＤ１９のうちの複数を駆動してもよい。
【００４４】
（１−３．生体情報が呼吸の場合：図３）
測定対象の生体情報が呼吸の場合には、図１の生体センサ１１は呼吸センサとされる。
【００４５】
この場合、図３に示すように、測定信号Ｓ１は、対象者１が息を吸っている期間では信号が増加する方向であり、対象者１が息を吐いている期間では信号が減少する方向である。測定値データＤ１も、測定信号Ｓ１をＡ／Ｄ変換しただけであるので、同じである。
【００４６】
そのため、この場合、特徴量検出部１３では、生体情報（呼吸）の特徴量として、測定値データＤ１（測定信号Ｓ１）が増加している期間の時間長Ｔ１１，Ｔ２１‥‥と、現象している期間の時間長Ｔ１２，Ｔ２２‥‥とを交互に検出して、特徴量データＤ２として、それぞれの時間長を示し、かつその時間長が息を吸っている期間か息を吐いている期間かを示すデータを順次生成する。
【００４７】
この場合の特徴量データＤ２も、測定値データＤ１よりデータ量が著しく少ないことは勿論、測定値データＤ１を画像信号や音声信号などの圧縮で用いられている圧縮方式で圧縮した後のデータと比較してもデータ量が少ない。
【００４８】
そして、記録時には、この特徴量データＤ２を記録媒体１５に記録する。
【００４９】
再生時には、駆動信号生成部１６では、記録媒体１５から再生された同じ特徴量データＤ２から、図３に示すように、駆動信号Ｓ３として、測定記録時の対象者１が息を吸っていた期間に対応する期間では高レベルとなり、測定記録時の対象者１が息を吐いていた期間に対応する期間では低レベルとなる二値信号（矩形波信号）を生成するとともに、駆動信号Ｓ４として、駆動信号Ｓ３に対して反転した信号、すなわち、測定記録時の対象者１が息を吸っていた期間に対応する期間では低レベルとなり、測定記録時の対象者１が息を吐いていた期間に対応する期間では高レベルとなる二値信号を生成する。
【００５０】
そして、測定対象の生体情報が呼吸の場合には、再生時、例えば、図１に示したように、駆動信号Ｓ３によって赤色ＬＥＤ１８を駆動し、駆動信号Ｓ４によって青色ＬＥＤ１９を駆動する。
【００５１】
したがって、測定記録時の対象者１が息を吸っていた期間に対応する期間では、赤色ＬＥＤ１８が点灯して、青色ＬＥＤ１９は点灯しないとともに、測定記録時の対象者１が息を吐いていた期間に対応する期間では、青色ＬＥＤ１９が点灯して、赤色ＬＥＤ１８は点灯しない。
【００５２】
したがって、ユーザは、測定記録時の対象者１の呼吸の様子、すなわち息を吸っていた時間および息を吐いていた時間やその変化を感知することができる。
【００５３】
上記とは逆に、駆動信号Ｓ３によって青色ＬＥＤ１９を駆動し、駆動信号Ｓ４によって赤色ＬＥＤ１８を駆動してもよい。
【００５４】
また、例えば、駆動信号Ｓ３によって振動モータ１７および赤色ＬＥＤ１８を駆動し、駆動信号Ｓ４によって青色ＬＥＤ１９を駆動してもよい。
【００５５】
また、例えば、駆動信号Ｓ３によって、赤色ＬＥＤ１８と青色ＬＥＤ１９のいずれか一方のみ、または振動モータ１７のみを駆動してもよい。
【００５６】
さらに、図示していないが、再生デバイスとして駆動信号に応じて伸縮するデバイスを用い、その再生デバイスを駆動信号Ｓ３によって駆動してもよい。この場合には、測定記録時の対象者１が息を吸っていた期間に対応する期間では再生デバイスが伸長し、測定記録時の対象者１が息を吐いていた期間に対応する期間では再生デバイスが圧縮されるので、測定記録時の対象者１の呼吸の様子を、より直感的に感知することができる。
【００５７】
（１−４．記録と再生を別の装置で行う場合）
図１の例で、記録媒体１５がリムーバブル記録媒体である場合には、記録再生装置１０で上記のように生体情報が特徴量データＤ２として記録された記録媒体１５を、記録再生装置１０から外して、上記のように生体情報を再生することができる別の記録再生装置または再生装置に装着し、別の記録再生装置または再生装置で上記のように生体情報を再生することもできる。
【００５８】
さらに、この場合、ユーザが記録媒体１５を他のユーザに譲渡または貸与することによって、他のユーザの記録再生装置または再生装置で上記のように生体情報を再生することができる。
【００５９】
（１−５．画像や音楽などのコンテンツの記録再生との関係）
上述した生体情報の記録再生は、画像や音楽などのコンテンツの記録再生と関係なく実行することもできるが、以下のように画像や音楽などのコンテンツの記録再生と関連させて実行すれば、コンテンツの再生に臨場感を増すことができる。
【００６０】
コンテンツの記録再生と関連させて生体情報を記録再生する場合の第１の例は、記録済みのコンテンツの再生時に生体情報を記録する場合である。
【００６１】
例えば、図１の例で、記録媒体１５に画像や音楽などのコンテンツが記録されている場合、そのコンテンツの再生時、ユーザ自身が対象者１となって、記録再生装置１０に、ユーザ自身の脈拍や呼吸を測定させ、特徴量データＤ２として、当該コンテンツデータに多重化して、記録媒体１５に記録させる。
【００６２】
これによれば、当該コンテンツを次回以降に再生する際、当該コンテンツの再生と同期させて、ユーザが前に当該コンテンツを鑑賞した時のユーザ自身の脈拍や呼吸を再生することができ、当該コンテンツの再生に臨場感が増す。
【００６３】
コンテンツの記録再生と関連させて生体情報を記録再生する場合の第２の例は、未記録のコンテンツの記録時に生体情報を記録する場合である。この場合の例を、以下に第２の実施形態として示す。
【００６４】
［２．第２の実施形態：図４〜図７］
生体情報と同時にコンテンツを記録再生する場合の一例として、デジタルスチルカメラまたはデジタルビデオカメラ、またはカメラ付き携帯電話端末などで、静止画または動画を撮影し記録再生する場合を、第２の実施形態として示す。
【００６５】
（２−１．第１の例：図４）
図４に、第２の実施形態の撮像記録再生装置の第１の例を示す。
【００６６】
この例の撮像記録再生装置３０は、図１の例の記録再生装置１０に対して、撮像部３１、画像処理部３３、マイクロホン３５、音声増幅回路３７、音声処理部３９、多重化分離部５１、遅延補正部５５、画像処理部４１、画像表示部４３、音声処理部４５、音声増幅回路４７およびスピーカ４９を付加したものである。
【００６７】
生体情報用の再生デバイス２５は、上記の振動モータやＬＥＤ、または上記の伸縮デバイスなどである。
【００６８】
画像表示部４３は、液晶ディスプレイや有機ＥＬディスプレイなどである。
【００６９】
この場合の対象者１は、当該の撮像記録再生装置３０によって静止画または動画を撮影する者などである。生体センサ１１は、例えば、脈拍センサまたは呼吸センサである。
【００７０】
この例の撮像記録再生装置３０では、記録時には、撮像部３１によって、被写体が静止画または動画として撮影され、マイクロホン３５によって、音楽などの音声が収得され、生体センサ１１によって、撮影時の対象者１の脈拍または呼吸が測定される。
【００７１】
撮像部３１からの静止画または動画の画像データは、画像処理部３３で処理され、さらに圧縮されて、多重化分離部５１に送出される。
【００７２】
マイクロホン３５からの音声信号は、音声増幅回路３７で増幅され、音声処理部３９でデジタル音声データに変換され、さらに圧縮されて、多重化分離部５１に送出される。
【００７３】
画像処理部３３からの圧縮後の画像データ、および音声処理部３９からの圧縮後の音声データは、画像および音声に係る圧縮方式によって、互いに同期したものとされる。
【００７４】
一方、生体センサ１１からの測定信号は、Ａ／Ｄコンバータ１２でＡ／Ｄ変換され、Ａ／Ｄコンバータ１２から測定値データが得られる。さらに、特徴量検出部１３では、その測定値データから、上記のように対象者１の脈拍または呼吸の特徴量が検出されて、特徴量データが得られる。
【００７５】
この特徴量検出部１３からの特徴量データは、遅延補正部５５で上記の圧縮後の画像データおよび圧縮後の音声データに同期するように遅延補正されて、多重化分離部５１に送出される。
【００７６】
そして、撮影記録時には、多重化分離部５１で、これら圧縮後の画像データ、圧縮後の音声データおよび遅延補正後の特徴量データを多重化して、記録再生部１４によって記録媒体１５に記録する。
【００７７】
再生時には、記録再生部１４によって記録媒体１５から、多重化された圧縮画像データ、圧縮音声データおよび特徴量データが再生され、多重化分離部５１で、圧縮画像データ、圧縮音声データおよび特徴量データが分離される。
【００７８】
分離後の圧縮画像データは、画像処理部４１で伸長され、さらに表示用の画像信号に変換されて、画像表示部４３に送出され、画像表示部４３に静止画または動画が表示される。
【００７９】
分離後の圧縮音声データは、音声処理部４５で伸長され、さらにアナログ音声信号に変換され、音声増幅回路４７で増幅されて、スピーカ４９に送出され、スピーカ４９から音声が出力される。
【００８０】
さらに、分離後の特徴量データは、遅延補正部５５で画像処理部４１からの画像信号および音声処理部４５からの音声信号に同期するように遅延補正されて、駆動信号生成部１６に送出される。
【００８１】
そして、測定対象の生体情報が脈拍である場合には、駆動信号生成部１６では、図２に示すような駆動信号Ｓ２が生成されて、再生デバイス２５が駆動され、測定対象の生体情報が呼吸である場合には、駆動信号生成部１６では、図３に示すような駆動信号Ｓ３または駆動信号Ｓ４が生成されて、再生デバイス２５が駆動される。
【００８２】
したがって、画像および音声の再生に同期して、測定記録時の対象者１の脈拍または呼吸が、コンテンツとして再生される。
【００８３】
（２−２．第２の例：図５）
図５に、第２の実施形態の撮像記録再生装置の第２の例を示す。
【００８４】
この例の撮像記録再生装置４０は、生体情報用の再生デバイスとして、図１に示したように振動モータ１７、赤色ＬＥＤ１８および青色ＬＥＤ１９を備える点が、図４の例の撮像記録再生装置３０と異なり、その他は、図４の例の撮像記録再生装置３０と同じである。
【００８５】
振動モータ１７、赤色ＬＥＤ１８および青色ＬＥＤ１９のうちのいずれによって生体情報を再生するかは、測定対象の生体情報が脈拍であるか呼吸であるかなどに応じて、あらかじめ設定され、またはユーザが操作部２２で選択できるようにされる。
【００８６】
具体的に、測定対象の生体情報が脈拍の場合には、再生時、駆動信号生成部１６では、駆動信号として図２に示すような駆動信号Ｓ２が生成され、上記の設定またはユーザの選択によって、振動モータ１７のみ、赤色ＬＥＤ１８のみ、青色ＬＥＤ１９のみ、振動モータ１７および赤色ＬＥＤ１８、振動モータ１７および青色ＬＥＤ１９、赤色ＬＥＤ１８および青色ＬＥＤ１９、または振動モータ１７、赤色ＬＥＤ１８および青色ＬＥＤ１９が駆動される。
【００８７】
また、測定対象の生体情報が呼吸の場合には、再生時、例えば、駆動信号生成部１６では、駆動信号として図３に示すような駆動信号Ｓ３および駆動信号Ｓ４が生成され、上記の設定またはユーザの選択によって、
（ａ）駆動信号Ｓ３によって赤色ＬＥＤ１８が駆動され、駆動信号Ｓ４によって青色ＬＥＤ１９が駆動される、
（ｂ）駆動信号Ｓ３によって青色ＬＥＤ１９が駆動され、駆動信号Ｓ４によって赤色ＬＥＤ１８が駆動される、
（ｃ）駆動信号Ｓ３によって振動モータ１７および赤色ＬＥＤ１８が駆動され、駆動信号Ｓ４によって青色ＬＥＤ１９が駆動される、
（ｄ）駆動信号Ｓ３によって振動モータ１７および青色ＬＥＤ１９が駆動され、駆動信号Ｓ４によって赤色ＬＥＤ１８が駆動される、
などのように駆動される。
【００８８】
このように、生体情報用に複数の再生デバイスを備え、特にユーザが生体情報の再生モードを複数の再生モードの中から選択できるように構成すれば、ユーザは、その時々で好みの再生モードを選択して、生体情報の再生を楽しむことができる。
【００８９】
この例でも、複数の再生デバイス中の１つまたは複数として、上記の伸縮デバイスなどを用いることができる。
【００９０】
（２−３．第３の例：図６）
図６に、第２の実施形態の撮像記録再生装置の第３の例を示す。
【００９１】
この例の撮像記録再生装置は、撮像記録再生装置本体５０と測定送信装置６０とによって構成される。
【００９２】
この例で、対象者１は、撮像記録再生装置本体５０によって撮影を行う者などであり、対象者２は、撮像記録再生装置本体５０によって撮影される者などである。
【００９３】
撮像記録再生装置本体５０は、図４の例の撮像記録再生装置３０に対して、受信部５９を付加したものである。
【００９４】
測定送信装置６０は、対象者２の生体情報の測定用および送信用に、生体センサ６１、Ａ／Ｄコンバータ６２、特徴量検出部６３および送信部６９を備えるものである。
【００９５】
生体センサ６１は、撮像記録再生装置本体５０の生体センサ１１と同様に、例えば、脈拍センサまたは呼吸センサである。ただし、生体センサ１１および生体センサ６１は、両者を脈拍センサとし、または両者を呼吸センサとするほか、一方を脈拍センサ、他方を呼吸センサとしてもよい。
【００９６】
特徴量検出部６３では、撮像記録再生装置本体５０の特徴量検出部１３と同様に、生体センサ６１が脈拍センサであるか呼吸センサであるかに応じて、図２または図３で示したように対象者２の脈拍または呼吸の特徴量を検出し、特徴量データを生成する。
【００９７】
その生成された特徴量データは、測定送信装置６０の送信部６９から、電波や赤外線などによる無線通信によって、撮像記録再生装置本体５０に送信される。
【００９８】
撮像記録再生装置本体５０の受信部５９は、その特徴量データを受信して、遅延補正部５５に送出し、遅延補正部５５は、その特徴量データを、撮像記録再生装置本体５０の特徴量検出部１３からの特徴量データと同様に、画像処理部３３からの圧縮後の画像データおよび音声処理部３９からの圧縮後の音声データに同期するように遅延補正して、多重化分離部５１に送出する。
【００９９】
この例では、撮影記録時、生体センサ１１によって対象者１の脈拍または呼吸を測定すると同時に、生体センサ６１によって対象者２の脈拍または呼吸を測定し、多重化分離部５１で、対象者１の脈拍または呼吸に係る特徴量データである第１チャンネルの特徴量データ、および対象者２の脈拍または呼吸に係る特徴量データである第２チャンネルの特徴量データを、圧縮後の画像データおよび音声データに多重化して、記録媒体１５に記録する。
【０１００】
再生時には、ユーザが選択した方のチャンネルの生体情報が再生される。すなわち、再生時、多重化分離部５１で分離された、ユーザが選択した方のチャンネルの特徴量データが、遅延補正部５５で遅延補正されて駆動信号生成部１６に送出され、駆動信号生成部１６では、そのチャンネルの測定対象の生体情報が脈拍であるか呼吸であるかに応じて、上記のような駆動信号Ｓ２、駆動信号Ｓ３または駆動信号Ｓ４が生成されて、再生デバイス２５が駆動される。
【０１０１】
したがって、この例では、ユーザは、対象者１と対象者２のうちの、例えば撮影者と被撮影者のうちの、一方を選択して、一方の生体情報を再生することができるとともに、再生中に他方に切り換えて、他方の生体情報を再生することもできる。
【０１０２】
（２−４．第４の例：図７）
図７に、第２の実施形態の撮像記録再生装置の第４の例を示す。
【０１０３】
この例の撮像記録再生装置は、図６の例の撮像記録再生装置と同様に、撮像記録再生装置本体７０と測定送信装置６０とによって構成される。
【０１０４】
この例で、対象者１は、撮像記録再生装置本体７０によって撮影を行う者などであり、対象者２は、撮像記録再生装置本体７０によって撮影される者などである。
【０１０５】
撮像記録再生装置本体７０は、図５の例の撮像記録再生装置４０に対して、受信部５９を付加したものである。測定送信装置６０は、図６に示したそれと同じである。
【０１０６】
撮影記録時、測定送信装置６０の特徴量検出部６３で得られ、送信部６９から送信された特徴量データが、撮像記録再生装置本体７０の受信部５９で受信されることによって、対象者１の脈拍または呼吸に係る特徴量データである第１チャンネルの特徴量データ、および対象者２の脈拍または呼吸に係る特徴量データである第２チャンネルの特徴量データが、圧縮後の画像データおよび音声データに多重化されて、記録媒体１５に記録されることも、図６の例と同じである。
【０１０７】
再生時には、両方のチャンネルの生体情報が再生される。すなわち、再生時、多重化分離部５１で分離された第１チャンネルの特徴量データおよび第２チャンネルの特徴量データが、それぞれ遅延補正部５５で遅延補正されて駆動信号生成部１６に送出され、駆動信号生成部１６では、各チャンネルの測定対象の生体情報が脈拍であるか呼吸であるかに応じて、各チャンネルにつき、上記のような駆動信号Ｓ２、駆動信号Ｓ３または駆動信号Ｓ４が生成されて、振動モータ１７、赤色ＬＥＤ１８および青色ＬＥＤ１９のうちの一部によって、対象者１の脈拍または呼吸が再生され、他の一部によって、対象者２の脈拍または呼吸が再生される。
【０１０８】
したがって、この例では、撮影時、撮影者と被撮影者が共に緊張していたことや、撮影者は緊張していたのに対して被撮影者は落ち着いていたことなどを、再生時、思い出し、または発見することができる。
【０１０９】
再生デバイスについては、見ている者が複数である場合、振動モータのように接触して生体情報の再生を感じるデバイスの場合は、見ている者が一度に感じることができない。その場合は、上述した撮影時に使った測定送信装置６０のような無線手段を再生デバイスにも使って、その無線手段からの信号を受信する再生受信デバイスにより複数人が同時に感じることができるように構成することができる。
【０１１０】
［３．生体情報についての他の実施形態］
上記の実施形態は、生体情報として脈拍または呼吸を測定し記録再生する場合であるが、他の生体情報を測定し記録再生するようにしてもよい。
【０１１１】
この場合、例えば、測定対象の生体情報が、脈拍とは逆に、隣接するピーク間の時間間隔は、ほとんど変化せず、ピーク値（極大値または極小値）が、対象者の状態に応じて変化する場合には、生体情報の特徴量として各ピークのピーク値を検出し、特徴量データとして記録再生する。
【図面の簡単な説明】
【０１１２】
【図１】第１の実施形態の記録再生装置の一例を示す図である。
【図２】測定対象の生体情報が脈拍である場合の説明に供する図である。
【図３】測定対象の生体情報が呼吸である場合の説明に供する図である。
【図４】第２の実施形態の第１の例の撮像記録再生装置を示す図である。
【図５】第２の実施形態の第２の例の撮像記録再生装置を示す図である。
【図６】第２の実施形態の第３の例の撮像記録再生装置を示す図である。
【図７】第２の実施形態の第４の例の撮像記録再生装置を示す図である。
【符号の説明】
【０１１３】
主要部については図中に記述したので、ここでは省略する。
【図１】
0005256761.tif 000002
【図２】
0005256761.tif 000003
【図３】
0005256761.tif 000004
【図４】
0005256761.tif 000005
【図５】
0005256761.tif 000006
【図６】
0005256761.tif 000007
【図７】
0005256761.tif 000008